(57)【特許請求の範囲】
【請求項１】
原水に無機凝集剤を添加する第１添加工程と、次いで高分子凝集剤を添加する第２添加工程と、次いで固液分離する固液分離工程とを有する凝集処理方法において、
該原水がＣＭＰ排水であり、
該高分子凝集剤がアニオン系高分子凝集剤であり、
該固液分離工程が沈降分離によるものであり、
該第１添加工程においてさらに高分子凝集剤を添加し、第１添加工程での高分子凝集剤の添加量と第２添加工程での高分子凝集剤の添加量との合計量を予め設定した目標添加量とする凝集処理方法であって、第１添加工程において目標添加量の２５〜３５％の高分子凝集剤を添加し、第２添加工程において目標添加量の７５〜６５％の高分子凝集剤を添加することを特徴とする凝集処理方法。
【請求項２】
請求項１において、前記固液分離工程は、沈降分離及び濾過であることを特徴とする凝集処理方法。
【発明の詳細な説明】
【技術分野】
【０００１】
本発明は、無機凝集剤と高分子凝集剤とを併用した凝集処理方法に係り、特にＣＭＰ排水などの微細粒子含有排水の処理に好適な凝集処理方法に関する。
【背景技術】
【０００２】
半導体基板またはその上に形成された被膜の研磨にＣＭＰ（Chemical
Mechanical Polishing）が行われている。例えば半導体ウエハはＣＭＰにより研磨され、鏡面仕上が行われている。また半導体の高集積化に伴って多層配線構造が採用されるようになっているが、多層配線の高信頼性および高歩留を実現するには多層配線用層間絶縁層の平坦化が重要であり、このため層間絶縁層の研磨としてＣＭＰが行われている。
【０００３】
ＣＭＰは化学研磨と機械研磨とを複合した研磨であり、研磨剤としてアルカリ水溶液に砥粒を懸濁させたＣＭＰ液が用いられている。従来このようなＣＭＰ液としては、ＫＯＨ水溶液にＳｉＯ2微粒子を懸濁させた、いわゆるコロイダルシリカからなるＣＭＰ液（以下、ＫＯＨ系ＣＭＰ液という場合がある）やアンモニア水溶液にＳｉＯ2微粒子を懸濁させた、いわゆるコロイダルシリカからなるＣＭＰ液（以下、ＮＨ4系ＣＭＰ液という場合がある）、その他中性系ＣＭＰ液などが用いられている。
【０００４】
半導体製造工程の研磨工程から排出されるＣＭＰ排液中には、砥粒として懸濁させたＳｉＯ2粒子のほかに、ウエハや被膜および研磨パッドが削られて生成する研磨屑粒子などが含まれており、ＣＭＰ排液の処理では凝集沈殿によりこれらの粒子の除去が行われている。一般的には、ＣＭＰ液を用いる研磨工程から排出されるＣＭＰ排液に、アルミニウム塩または鉄塩などの無機系凝集剤を添加して急速攪拌したのち、高分子凝集剤を添加して緩速攪拌を行い、これによりＳｉＯ2等の懸濁粒子を凝集させてフロックを形成し、これを沈降分離し、分離汚泥は脱水機により脱水処理している（特許文献１）。
【０００５】
ＣＭＰ排水以外の排水の凝集処理方法としても、原水に無機凝集剤及び高分子凝集剤を添加し、次いで固液分離する方法は広く用いられている（例えば特許文献２〜４）。
【０００６】
このように高分子凝集剤を添加した場合、処理水中に残留する高分子凝集剤（ポリマー成分）が、後段側の濾過層や濾過膜に目詰りを生じさせることがある（特許文献２）。特許文献２には、残留高分子凝集剤による目詰り防止のために、原水に無機凝集剤を添加し、次いで高分子凝集剤を添加し、その後凝集フロックを固液分離して処理水を得、この処理水に無機凝集剤を再度添加した後凝集フロックを分離して残留高分子凝集剤を除去し、その後濾過することが記載されている。
【０００７】
しかしながら、このように無機凝集剤及び高分子凝集剤を添加して固液分離し、この固液分離処理水に再度無機凝集剤を添加して残留高分子凝集剤を除去してから濾過処理するのでは、工程数が多く、処理コストが嵩む。
【先行技術文献】
【特許文献】
【０００８】
【特許文献１】特開平１１−３３５６０
【特許文献２】特開２００７−２５３１１１
【特許文献３】特開平７−１０８２７８
【特許文献４】特開２００９−６６５０８
【発明の概要】
【発明が解決しようとする課題】
【０００９】
本発明は、上記従来の問題点を解決し、無機凝集剤及び高分子凝集剤を添加した後、固液分離する凝集処理方法において、この固液分離処理水中の残留高分子凝集剤を簡易な手段によって低減することを目的とする。
【課題を解決するための手段】
【００１０】
本発明の凝集処理方法は、原水に無機凝集剤を添加する第１添加工程と、次いで高分子凝集剤を添加する第２添加工程と、次いで固液分離する固液分離工程とを有する凝集処理方法において、該原水がＣＭＰ排水であり、該高分子凝集剤がアニオン系高分子凝集剤であり、該固液分離工程が沈降分離によるものであり、該第１添加工程においてさらに高分子凝集剤を添加し、第１添加工程での高分子凝集剤の添加量と第２添加工程での高分子凝集剤の添加量との合計量を予め設定した目標添加量とする凝集処理方法であって、第１添加工程において目標添加量の２５〜３５％の高分子凝集剤を添加し、第２添加工程において目標添加量の７５〜６５％の高分子凝集剤を添加することを特徴とするものである。
【発明の効果】
【００１２】
本発明では、第１添加工程において原水に無機凝集剤及び目標添加量の２５〜３５％のの高分子凝集剤を添加する。これにより、無機凝集剤に起因したフロックが生成し、このフロックが高分子凝集剤の作用によって成長する。第２添加工程においてさらに目標添加量の７５〜６５％の高分子凝集剤が添加され、フロックが成長する。第２添加工程においては、第１添加工程からのフロックが既に存在した状態で高分子凝集剤が追加添加されるので、この追加添加された高分子凝集剤は既存のフロックと効率よく反応する。また、高分子凝集剤の全量を第２添加工程で添加する場合に比べて第２添加工程での高分子凝集剤の添加量が少ない。そのため、第２添加工程からの水中における未反応の高分子凝集剤濃度は著しく低くなり、固液分離手段の目詰り等が抑制される。
【図面の簡単な説明】
【００１３】
【図１】実施の形態に係る凝集処理方法の説明図である。
【発明を実施するための形態】
【００１４】
以下、本発明についてさらに詳細に説明する。
【００１５】
［原水］
原水としてはＣＭＰ排水などの微細粒子含有排水が好適であるが、それ以外の各種製造工程、洗浄工程、処理工程（例えば有機性排水の生物処理排水など）等であってもよい。
【００１６】
［無機凝集剤］
本発明において用いられる無機凝集剤としては、ＰＡＣ（ポリ塩化アルミニウム）、硫酸バンド等のアルミ系凝集剤や、塩化第二鉄、ポリ硫酸鉄等の鉄系凝集剤が挙げられる。なお、塩化第二鉄などの鉄系凝集剤を用いると、沈降性のよいフロックが生成する。無機凝集剤の添加量は特に制限されることはなく、対象となる原水に対し適量とされる量を添加すればよい。
【００１７】
［高分子凝集剤］
無機凝集剤の添加により生成するフロックは正に帯電しているので、高分子凝集剤としてはアニオン系高分子凝集剤（ポリマー凝集剤）を用いるのが好ましい。
【００１８】
本発明では、ジャーテストなどの予備試験によって予め無機凝集剤及び高分子凝集剤の好適添加量を求めておくのが好ましい。原水の水質が変動する場合には、各水質毎に無機凝集剤及び高分子凝集剤の好適添加量を求めておく。この高分子凝集剤の好適添加量を目標添加量とする。
【００１９】
［第１添加工程］
第１添加工程では、上記の好適な添加量にて無機凝集剤を添加すると共に、目標添加量の２５〜３５％の高分子凝集剤を添加する。また、必要に応じ酸又はアルカリを添加し、ｐＨを無機凝集剤の凝集処理に好適なｐＨに調整する。無機凝集剤が塩化第二鉄、ポリ硫酸鉄などの鉄系無機凝集剤の場合は、ｐＨを４〜１１特に５〜８程度とすることが好ましく、無機凝集剤がＰＡＣなどアルミ系無機凝集剤である場合には、ｐＨを６〜８程度とすることが好ましい。ｐＨ調整剤としては塩酸、硫酸等の酸や、水酸化ナトリウム等のアルカリを用いることができるが、これに限定されない。図１のフローでは、原水を反応槽１に導入し、無機凝集剤及び所定量の高分子凝集剤を添加して第１添加工程を行っている。反応槽１には撹拌機（図示略）が設けられている。
【００２０】
［第２添加工程］
第１添加工程後、高分子凝集剤の残部すなわち目標添加量から第１添加工程での添加分を差し引いた量の高分子凝集剤を添加する。図１のフローでは、反応槽１からの流出水を凝集槽２に導入し、この凝集槽２に対し第２添加工程として高分子凝集剤を添加する。凝集槽２にも撹拌機が設けられている（図示略）。
【００２１】
第２添加工程においても、必要に応じｐＨ調整剤を添加し、使用する高分子凝集剤に適したｐＨ範囲に調整する。
【００２２】
［高分子凝集剤の分配比］
本発明では、第１添加工程において目標添加量の２５〜３５％好ましくは２７〜３３％の高分子凝集剤を添加し、残りの７５〜６５％特に７３〜６７％の高分子凝集剤を第２添加工程で添加する。
【００２３】
第１添加工程での高分子凝集剤の添加量が過少であると、固液分離処理水中にリークする未反応高分子凝集剤が多くなる。また、第１添加工程での生成フロックが凝集密度が低いまま疎大化しすぎることによりフロックはもろく壊れやすく上澄水水質は悪化する。
【００２４】
第１添加工程での高分子凝集剤の添加量が多過ぎると、第１添加工程は撹拌速度が速いため、フロックは破壊され微細フロックとして流出し易くなる。
【００２５】
［第１固液分離処理］
第２添加工程で高分子凝集剤を添加してフロックを成長させた後、好ましくは沈降分離、浮上分離、遠心分離などによってフロックを除去する。図１のフローでは、凝集槽２の流出水を沈降槽３に導入し、沈降分離を行い、上澄水を固液分離処理水としている。
【００２６】
［第２固液分離］
上記第１固液分離を行った後、第１固液分離処理水を第２固液分離手段としての濾材層に通水する濾過を行うことが望ましい。濾材としては、砂、アンスラサイトなどを用いることができる。図１のフローでは、第１固液分離処理水を二層濾過器４で濾過している。この第２固液分離処理により、フロックが十分に除去され、良好な水質の処理水が得られる。
【００２７】
第１固液分離処理水中の未反応高分子凝集剤濃度が著しく低いので、第２固液分離の濾過層の目詰りが防止される。
【００２８】
なお、この濾過処理水をＲＯ（逆浸透）処理してもよい。
【実施例】
【００２９】
［実施例１（分配比２．５／７．５）］
ＣＭＰ排水（ＳＳ１００ｍｇ／Ｌ、ＳＳ主成分ＳｉＯ２コロイド、ＴＯＣ５０ｍｇ／Ｌ、ｐＨ７．２）を図１の通り反応槽１に導入し、塩化第二鉄を５００ｍｇ／Ｌ、アニオン系高分子凝集剤（栗田工業（株）クリフロック  ＰＡ３３１）を１．２５ｍｇ／Ｌ添加し、ＮａＯＨを添加してｐＨ＝６．０に調整した。滞留時間は１０ｍｉｎとした。これを凝集槽２に導入し、同一の高分子凝集剤３．７５ｍｇ／Ｌを添加した。滞留時間は１０ｍｉｎとした。これを沈降槽３に導入し、第１固液分離処理し、上澄水を第２固液分離手段としての二層濾過器４（濾材：砂、アンスラサイト）にてＬＶ＝８ｍ／ｈｒにて濾過した。沈降槽３から流出する上澄水の濁度と濾過器４の通水差圧の経時変化を表１に示す。なお、高分子凝集剤の目標添加量は５ｍｇ／Ｌであり、反応槽１への添加量と凝集槽２への添加量の比（分配比）は２．５／７．５（１．２５（ｍｇ／Ｌ）／３．７５（ｍｇ／Ｌ）＝２．５／７．５）である。
【００３０】
［実施例２］
高分子凝集剤の反応槽１への添加量を１．５ｍｇ／Ｌ、凝集槽２への添加量を３．５ｍｇ／Ｌとし、分配比を３／７としたこと以外は実施例１と同様にして処理を行った。沈降槽３から流出する上澄水の濁度と濾過器４の通水差圧の経時変化を表１に示す。
【００３１】
［実施例３］
高分子凝集剤の反応槽１への添加量を１．７５ｍｇ／Ｌ、凝集槽２への添加量を３．２５ｍｇ／Ｌとし、分配比を３．５／６．５としたこと以外は実施例１と同様にして処理を行った。沈降槽３から流出する上澄水の濁度と濾過器４の通水差圧の経時変化を表１に示す。
【００３２】
［比較例１］
高分子凝集剤の反応槽１への添加量を１ｍｇ／Ｌ、凝集槽２への添加量を４ｍｇ／Ｌとし、分配比を２／８としたこと以外は実施例１と同様にして処理を行った。沈降槽３から流出する上澄水の濁度と濾過器４の通水差圧の経時変化を表１に示す。
【００３３】
［比較例２］
高分子凝集剤の反応槽１への添加量を２ｍｇ／Ｌ、凝集槽２への添加量を３ｍｇ／Ｌとし、分配比を４／６としたこと以外は実施例１と同様にして処理を行った。沈降槽３から流出する上澄水の濁度と濾過器４の通水差圧の経時変化を表１に示す。
【００３４】
［比較例３］
実施例１において、高分子凝集剤の全量を凝集槽２に添加し、分配比を０／１０としたこと以外は実施例１と同様にして処理を行った。沈降槽３から流出する上澄水の濁度と濾過器４の通水差圧の経時変化を表１に示す。
【００３５】
【表１】
0005874359.tif 000002
【００３６】
表１の通り、高分子凝集剤の第１添加工程及び第２添加工程への分配比が２．５／７．５〜３．５／６．５であると、上澄水の濁度が低く、また濾過差圧の上昇が抑制される。
【符号の説明】
【００３７】
１  反応槽
２  凝集槽
３  沈降槽
４  二層濾過器
【図１】
0005874359.tif 000003